(57)【要約】【課題】  電源回路の効率と高周波電力増幅器の効率改善を図る。【解決手段】  振幅変調信号である入力信号を、供給される電源電圧に基づいて電力増幅する増幅器と、それぞれが異なる値の電源電圧を発生する複数個の固定電圧電源と、入力信号の振幅に基づいて制御信号を発生する制御信号発生器と、制御信号発生器の制御信号に基づいて複数の固定電圧電源を切り替えて対応する電源電圧を選択し、この選択された電源電圧を増幅器に供給する電源切替スイッチと、増幅器に供給される電源電圧で充電され、電源切替スイッチの切り替え動作に伴う電源電圧の供給瞬断時に当該充電された電圧を増幅器に与えるように設けられたコンデンサとを備えた。【選択図】        図１
2006254345.tif 000002
【特許請求の範囲】
【請求項１】
振幅変調信号である入力信号を、供給される電源電圧に基づいて電力増幅する増幅器と、
それぞれが異なる値の電源電圧を発生する複数個の固定電圧電源と、
入力信号の振幅に基づいて制御信号を発生する制御信号発生器と、
前記制御信号発生器の制御信号に基づいて前記複数の固定電圧電源を切り替えて対応する電源電圧を選択し、この選択された電源電圧を前記増幅器に供給する電源切替スイッチと、
前記増幅器に供給される電源電圧で充電され、前記電源切替スイッチの切り替え動作に伴う電源電圧の供給瞬断時に当該充電された電圧を前記増幅器に与えるように設けられたコンデンサとを備えたことを特徴とする送信機の電力増幅装置。
【請求項２】
制御信号発生器は、
増幅器の前段から入力信号の一部を取り出すカプラと、
前記カプラにより取り出された入力信号の振幅成分を検出する振幅検出器と、
前記振幅検出器で検出された振幅成分の大きさを閾値で判定し、判定に応じた制御信号を発生するコンパレータとからなることを特徴とする請求項１記載の送信機の電力増幅装置。
【請求項３】
複数の固定電圧電源は、３個以上設けられていることを特徴とする請求項１または請求項２記載の送信機の電力増幅装置。
【請求項４】
複数の固定電圧電源は、接地配線型の固定電圧電源と、この固定電圧電源に直列に接続された１個または複数個のフローティング固定電圧電源とで構成され、
電源切替スイッチにより選択される電源電圧は、前記接地配線型の固定電圧電源の電圧と、当該電圧に前記フローティング固定電圧電源の電圧を積み上げた電圧としたことを特徴とする請求項１から請求項３のうちのいずれか１項記載の送信機の電力増幅装置。
【請求項５】
コンデンサの代わりに、接地配線型の固定電圧電源と電源切替スイッチの出力側との間で、かつフローティング固定電圧電源に係る電源電圧が選択されたときの電流逆流を阻止する向きに接続されたダイオードを備えたことを特徴とする請求項４記載の送信機の電力増幅装置。
【請求項６】
複数の固定電圧電源のうちで高い方の電源電圧を発生する固定電圧電源を、低い方の電源電圧を発生する固定電圧電源よりも小容量の固定電圧電源で構成し、
電源切替スイッチがこの小容量の固定電圧電源に切り替えていないときに当該小容量の固定電圧電源の電圧で充電され、前記電源切替スイッチが当該小容量の固定電圧電源に切り替えたときに当該充電された電圧を電源電圧として増幅器に供給するようにした大容量コンデンサを備えたことを特徴とする請求項１または請求項２記載の送信機の電力増幅装置。
【請求項７】
制御信号発生器は、入力信号の振幅成分を表す振幅情報をＤ／Ａ変換前のデジタルデータから抽出し、この振幅情報を制御信号として電源切替スイッチを制御するようにしたことを特徴とする請求項１から請求項６のうちのいずれか１項記載の送信機の電力増幅装置。
【請求項８】
制御信号発生器は、増幅器の前段にある変調器から取り出した、入力信号のピーク時のタイミングを表す変調タイミング信号を制御信号として電源切替スイッチを制御するようにしたことを特徴とする請求項１、請求項３から請求項６のうちのいずれか１項記載の送信機の電力増幅装置。
【請求項９】
電源切り替え時に増幅器に到達する入力信号と電源電圧間で起きる時間差分の遅延量を持つ遅延線を備え、入力信号が当該遅延線を介して前記増幅器へ入力されるようにしたことを特徴とする請求項１から請求項８のうちのいずれか１項記載の送信機の電力増幅装置。
【発明の詳細な説明】
【技術分野】
【０００１】
この発明は、例えばＵＨＦ帯を使用するデジタルテレビ送信機で使用されるような、高度の高効率性が求められる電力増幅装置に関する。
【背景技術】
【０００２】
周知のようにデジタルテレビ放送では、ＯＦＤＭ（Orthogonal Frequency Division Multiplexing；直交波周波数分割多重）変調信号が用いられている。これらの送信機に用いられる電力増幅器には厳しい線型性が要求されるため、電力増幅器は飽和電力よりもかなり低い信号レベルで使用されている。この場合、電力増幅器は大型化し、消費電力も大きくなり、そのことが製品コストの上昇につながっていた。そのため、電力増幅器の効率の改善が試みられてきた。その一つとして、電力増幅の電源電圧を、送信信号である変調信号の振幅変化に追従させるＥＥ＆Ｒ（Envelope Elimination and Restoration）と呼ばれる増幅方法がある（例えば、特許文献１および非特許文献１参照）。この技術は、送信信号を振幅変調成分（包絡線検波成分）と角度変調成分（振幅制限成分）に分離し、振幅変調成分を専用の増幅器で増幅し、その出力電圧を電源電圧とする電力増幅器で角度変調成分を増幅することにより、結果として両成分を合成増幅した出力信号を得るというものである。
【０００３】
【特許文献１】特開２００３−３０４１２７号公報（図９）
【非特許文献１】HIGH LINEARITY RF AMPLIFIER DESINE  PETER B.KENINGTON著 PP.511-512
【発明の開示】
【発明が解決しようとする課題】
【０００４】
従来の電力増幅装置は、以上のように構成されているが、高周波電力増幅器の高効率化と電源回路の高効率化の二つが同時に実施されることが必要である。しかし、変調信号の振幅変化に十分追従しながら電力増幅器に電圧を供給する電源は、固定電圧電源と比較すると、可変電圧電源であるがための効率低下を本質的に有していることになる。ここで必要とされている電源とは、具体的には、直流が重畳された高周波電力増幅器となんら変わらない。固定電圧電源の効率が９０％前後確保できるのに対し、直流重畳型の高周波電力増幅器の効率は、Ａ級動作で最大５０％である。一方、ＡＢ〜Ｂ級動作は直流断の瞬間があるため、当該増幅器の電源としては不適である。近年、ＰＷＭ（Pulse Width Modulation）方式によるデジタルアンプがオーディオ帯域で使用され、画期的な効率改善効果があるものの、動作周波数帯域が数十ｋＨｚ程度であり、数ＭＨｚに渡る変調信号を用いる装置、例えばデジタル放送用送信機（帯域約６ＭＨｚ）には適用できない。つまり、従来の効率改善を行う回路を備えた電力増幅装置では、電源回路の効率改善は困難であった。
【０００５】
この発明は、上記問題点を解決するためになされたもので、電源回路の効率と高周波電力増幅器の効率の改善を図ることができる送信機の電力増幅装置を得ることを目的とする。
【課題を解決するための手段】
【０００６】
この発明に係る送信機の電力増幅装置は、振幅変調信号である入力信号を、供給される電源電圧に基づいて電力増幅する増幅器と、それぞれが異なる値の電源電圧を発生する複数個の固定電圧電源と、入力信号の振幅に基づいて制御信号を発生する制御信号発生器と、制御信号発生器の制御信号に基づいて複数の固定電圧電源を切り替えて対応する電源電圧を選択し、この選択された電源電圧を増幅器に供給する電源切替スイッチと、増幅器に供給される電源電圧で充電され、電源切替スイッチの切り替え動作に伴う電源電圧の供給瞬断時に当該充電された電圧を増幅器に与えるように設けられたコンデンサとを備えたものである。
【発明の効果】
【０００７】
この発明によれば、増幅器の入力信号の振幅に応じて電圧の異なる複数個の固定電圧電源を切り替えて増幅器へ与える電源電圧を選択するようにしたので、増幅器は振幅変化に応じた効率の良い電力増幅を行うことができる効果がる。また、振幅変化が高速な場合であっても、固定電圧電源の切り替えが高速対応可能であるので、電源回路の高効率化も図れる効果がある。
【発明を実施するための最良の形態】
【０００８】
実施の形態１．
図１はこの発明の実施の形態１による送信機の電力増幅装置の基本構成を示すブロック回路図である。
この電力増幅装置は、固定電圧電源５，６、電源切替スイッチ７、コンデンサ８および制御信号発生器２０を備えている。
増幅器１は、振幅変調信号である入力信号を、供給される電源電圧に基づいて電力増幅する手段である。カプラ２は、増幅器１の前段から入力信号の一部を取り出す手段である。固定電圧電源５は、入力信号の振幅が低い通常電力増幅時に増幅器１が使用する電源電圧（直流電圧）Ｅ１を発生する手段である。固定電圧電源６は、増幅器１がピーク電力増幅時に使用する電源電圧（直流電圧）Ｅ２を発生する手段である。したがって、両電源電圧の関係はＥ１＜Ｅ２と、固定電圧電源６の電圧の方が高い値に設定されていることになる。
【０００９】
制御信号発生器２０は、増幅器１の入力信号の振幅に基づいて制御信号を発生する手段で、この実施の形態１では、カプラ２、振幅検出器３およびコンパレータ４から構成されている。振幅検出器３は、カプラ２より取り出された入力信号の振幅成分を検出する手段で、例えば包絡線検波器で構成されている。コンパレータ４は、振幅検出器３で検出された振幅成分の大きさを閾値で判定し、その判定に応じて電源切替スイッチ７を切り替える制御信号を発生する手段である。電源切替スイッチ７は、制御信号発生器２０で発生された制御信号に基づいて固定電圧電源５，６を切り替えて対応する電源電圧Ｅ１またはＥ２を選択し、選択された電源電圧Ｅ１またはＥ２を増幅器１に供給する手段である。コンデンサ８は、増幅器１に供給される電源電圧で充電され、電源切替スイッチ７の切り替え動作に伴う電源電圧の供給瞬断時に当該充電された電圧を増幅器１に与えるように設けられた手段である。
【００１０】
次に、動作について説明する。図２はこの実施の形態１に係る電力増幅装置の電源電圧の供給動作を説明するタイムチャートである。
初期状態では、電源切替スイッチ７は固定電圧電源５を選択しており、増幅器１には低い方の電源電圧Ｅ１が供給されている。所定の振幅値以下の入力信号が入力されている場合、増幅器１はこの電源電圧Ｅ１でその入力信号を増幅する。同時に、入力信号の一部がカプラ１で取り出されて振幅検出器２に与えられており、振幅検出器２では入力信号の振幅成分を検出して取り出し、コンパレータ４に出力する。ここで、図２（ａ）に示すように、入力信号に一時的なピーク成分Ａが存在した場合、現在の電源電圧Ｅ１で動作している増幅器１の飽和電力のレベルを超えてしまう。したがって、増幅器１で電力増幅された出力信号はこのピーク時に飽和し、入力信号を再現していない信号として送信されてしまうことになる。そこで、コンパレータ４では、この飽和レベルを、入力信号の振幅成分の大きさと比較するための閾値Ｅ０として設定しておく。
【００１１】
入力信号の振幅成分の大きさが閾値Ｅ０を越えた場合、コンパレータ４では、図２（ｃ）に示すようにピーク値の時間をカバーする制御信号を発生し電源切替スイッチ７を制御し、固定電圧電源５から固定電圧電源６に切り替えて電源電圧Ｅ２を選択する。固定電圧電源６の電源電圧Ｅ２は固定電圧電源５の電源電圧Ｅ１よりも高く設定されているので、増幅器１は、図２（ｄ）に示すような電源電圧Ｅ２が供給されることにより飽和電力が増加し、入力信号のピークＡを飽和させずに増幅する。また、固定電圧電源５から固定電圧電源６に完全に切り替わるまでの瞬間には、それまで固定電圧電源５からコンデンサ８に充電されていた電圧Ｅ１が増幅器１に与えられる。したがって、電源切り替え時に発生する増幅器１の動作の瞬時停止を防ぐことができる。
このように、ピークの大きな入力信号の時のみ電源電圧を増加させる構成としたので、電力増幅器の高効率化を図ることができ、また、ピークの小さな入力信号を増幅している間の消費電力を低い電源電圧を与えることで抑えるようにしたので、電源回路の効率改善を図ることもできる。
【００１２】
図１の構成例では固定電圧電源の数を２個としたが、図３に示す例のように、電源の数を３個以上としてもよい。この場合、固定電圧電源５，６1，６2，…６n-1それぞれの直流電圧の大きさをＥ１＜Ｅ２＜…＜Ｅｎとする。また、コンパレータ４の閾値も複数個（ｎ−１個）設けて入力信号の振幅成分の大きさに応じた制御信号を生成し、電源切替スイッチ７１を制御して固定電圧電源５，６1，６2，…６n-1を切り替えて入力信号の振幅レベルに応じた電源電圧を増幅器１へ供給するように選択している。このことにより、さらにきめ細かい動作が可能となり、さらなる効率改善を可能とする。特に、固定電圧電源の数を増加させて電源電圧をきめ細かくコントロールするようにしていくことにより、理想のＥＥ＆Ｒ増幅方式の動作に近づけることができる。
【００１３】
以上のように、実施の形態１によれば、それぞれが異なる値の電源電圧を発生する複数の固定電圧電源５，６（または５，６1，６2，…６n-1）を設け、振幅変調信号である入力信号を電力増幅する増幅器１の前段を設けられたカプラ２により、その入力信号の一部を取り出し、振幅検出器３でその信号から入力信号の振幅成分を検出し、コンパレータ４により、振幅検出器３で検出された振幅成分の大きさを閾値で判定して、判定に応じた制御信号を生成し、この制御信号に基づいて電源切替スイッチ７（または７１）により、複数の固定電圧電源５，６（または５，６1，６2，…６n-1）を切り替えて対応する電源電圧を選択し、選択された電源電圧を増幅器１に供給し、また増幅器１に供給される電源電圧でコンデンサ８を充電しておき、電源切替スイッチ７（または７１）の切り替え動作に伴う電源電圧の供給瞬断時に、当該充電された電圧を増幅器１に与えるようにしたものである。したがって、ピークの大きな入力信号の時のみ電源電圧を増加させるため、電力増幅器の動作の高効率化を図ることができ、また、ピークの小さな入力信号を増幅している間の消費電力を、低い電源電圧を与えることで抑えるようにしたので、電源回路の効率改善を図ることもできる。
【００１４】
実施の形態２．
図４はこの発明の実施の形態２による送信機の電力増幅装置の基本構成を示すブロック回路図である。図において、実施の形態１の図１と同じ構成部分には同一の符号を付し、原則としてその個々の説明は省略する。
実施の形態１では、固定電圧電源５，６はいずれも接地配線型の直流電源が使用されているが、この実施の形態２の電力増幅装置の構成は、上記固定電圧電源６の代わりに、接地配線型の固定電圧電源５に直列に、非接地配線型の直流電源であるフローティング固定電圧電源２６を接続している。この場合、入力信号の振幅成分が閾値以上のピーク時にフローティング固定電圧電源２６側から増幅器１への電源電圧を取り出すが、その電源電圧は接地配線型の固定電圧電源５の電圧Ｅ１にフローティング固定電圧電源２６の電圧が積み上げられた電圧Ｅ２となる。その他の動作は実施の形態１の場合と同様である。
【００１５】
また、図５に示す例のように、複数のフローティング固定電圧電源２６1，２６2，…２６n-1を接地配線型の固定電圧電源５に直列に多段接続し、電源切替スイッチ７１により直流電圧Ｅ１，Ｅ２，…，Ｅｎを選択する構成としてもよい。この場合も、実施の形態１の図３の例と同様な動作を行うことで、同様な効率改善が可能となる。
また、図６に示す例では、上記図４におけるコンデンサ８の代わりに、接地配線型の固定電圧電源５と電源切替スイッチ７の出力側との間で、かつフローティング固定電圧電源２６が選択されたときの電流逆流を阻止する向きにダイオード９を接続している。このことにより、電源切替スイッチ７の切り替え動作に伴う電源電圧の供給瞬断時に、ダイオード９を介して固定電圧電源５の電圧Ｅ１が増幅器１へ与えられるので、電圧供給の瞬時停止により増幅器１の動作が損なうのを防止することができる。コンデンサ８を使用した場合には、その充電時間を考慮しなければならないが、ダイオード９を用いたことにより、充電時間が無くなるので高速動作が可能となる。
【００１６】
実施の形態３．
図７はこの発明の実施の形態３による送信機の電力増幅装置の基本構成を示すブロック回路図である。図において、実施の形態１の図１と同じ構成部分には同一の符号を付し、原則としてその個々の説明は省略する。
図７の構成は、実施の形態１で高い方の電源電圧Ｅ２を発生する固定電圧電源６の代わりに、同じ電源電圧Ｅ２を発生するが小容量の固定電圧電源３６と大容量コンデンサ３９を用いるように構成したものである。ピーク電力を増幅する時間は、それ以外の電力を増幅する時間よりも短く離散的である。そこで、この実施の形態３では、ピーク電力の増幅時以外の通常の増幅時間を利用して、小容量の固定電圧電源３６の電圧Ｅ２で大容量コンデンサ３９を充電しておくようにしている。そして、ピーク電力増幅時には短い時間に大電流が必要となるが、そのピーク電力増幅時に電源切替スイッチ７により当該小容量の固定電圧電源３６に切り替えられたときに、当該充電された電圧を電源電圧として増幅器１に供給することで、大容量コンデンサ３９から一気に大電流を増幅器１に供給できるようになる。
【００１７】
以上のように、この実施の形態３によれば、複数の固定電圧電源のうちで高い方の電源電圧を発生する固定電圧電源３６を、低い方の電源電圧を発生する固定電圧電源５よりも小容量の固定電圧電源で構成しているので、高効率タイプの電源回路にすることができる。大容量の電源は大電流を扱うため配線抵抗が無視できず損失となるが、小容量の電源でよいため電流を小さくすることが可能となり、同じ配線抵抗であれば抵抗分で消費する消費電力を小さくすることができる。一方、電池と比較して充放電回数の制限がほとんど無く、大電流を流せる小さい内部抵抗を持つ大容量コンデンサ３９からピーク電力増幅時に増幅器１に対して大電流を流すようにしたので、電源の消費電力を下げつつ、装置全体の効率を上げることが可能となる。
【００１８】
実施の形態４．
図８はこの発明の実施の形態４による送信機の電力増幅装置の基本構成を示すブロック回路図である。図において、実施の形態１の図１と同じ構成部分には同一の符号を付し、原則としてその個々の説明は省略する。
図８の構成において、変調器４１から出力されたデジタルデータをＤ／Ａコンバータ４２でアナログ変換し、そのアナログ出力が入力信号として増幅器１に与えている。この場合、デジタルデータは入力信号の振幅成分を表している。そこで、この実施の形態４では、制御信号発生器２０を、入力信号の振幅成分を表す振幅情報をＤ／Ａ変換前のデジタルデータから抽出し、この振幅情報を制御信号とするように構成し、電源切替スイッチ７を制御するようにしている。したがって、デジタルデータが、ピーク電力増幅に該当する振幅値を表しているときには、電源切替スイッチ７により固定電圧電源５から固定電圧電源６に切り替え、高い方の電圧Ｅ２を増幅器１に供給するよう動作する。これにより、ピークの大きな入力信号の時のみ電源電圧を増加させ、ピークの小さな信号を増幅している間の消費電力を押さえることができる。また、カプラ２、振幅検出器３、コンパレータ４を用いず、デジタルデータを用いて電源切替スイッチ７を制御するため、その分、構成を簡略化できる。
また、実施の形態３の図７の構成において、カプラ２、振幅検出器３、コンパレータ４の代わりに、変調器４１の出力であるデジタルデータを用いるようにしても、同様な動作を行うことができる。
【００１９】
以上のように、実施の形態４によれば、入力信号の振幅成分を表す振幅情報をＤ／Ａ変換前のデジタルデータから抽出し、その振幅情報に基づいて固定電圧電源を切り替え、増幅器へ供給する電源電圧を選択するようにしたので、実施の形態１と同様に効率改善を図ることができる。また、制御信号発生器として、カプラ、振幅検出器およびコンパレータを使用しないので構成を簡略化することができる。
【００２０】
実施の形態５．
図９はこの発明の実施の形態５による送信機の電力増幅装置の基本構成を示すブロック回路図である。図において、実施の形態４の図８と同じ構成部分には同一の符号を付し、原則としてその個々の説明は省略する。
変調信号が、例えばＮＴＳＣ方式のテレビジョン信号のように一定の周期で振幅が変化するような信号の場合、増幅器１の入力信号のピークとなるタイミングを表す変調タイミング信号を変調器４１側から取り出すことが可能である。そこで、この実施の形態５では、制御信号発生器２０を、増幅器１の前段にある変調器１から取り出した、入力信号のピーク時のタイミングを表す変調タイミング信号を制御信号とするように構成し、電源切替スイッチ７を制御するようにしている。したがって、ピーク電力増幅に該当する振幅値の存在を表す変調タイミング信号が来たときには、電源切替スイッチ７により固定電圧電源５から固定電圧電源６に切り替え、高い方の電圧Ｅ２を増幅器１に供給するよう動作する。これにより、ピークの大きな入力信号の時のみ電源電圧を増加させ、ピークの小さな信号を増幅している間の消費電力を押さえることができる。また、カプラ２、振幅検出器３、コンパレータ４を用いず、変調タイミング信号を用いて電源切替スイッチ７を制御するため、その分、構成を簡略化できる。ここで、変調信号が、瞬時停止を防止するコンデンサ８の充電時間分が問題となるような広帯域の信号であった場合には、予め変調タイミング信号に充電時間分のオフセット時間を設けるようにすれば、充電時間を確保しつつピーク電力増幅時の電源切り替えを行うことができる。これにより、ピークの大きな入力信号の時のみ電源電圧を増加させ、ピークの小さな信号を増幅している間の消費電力を押さえることができる。
また、実施の形態３の図７の構成においても、カプラ２、振幅検出器３、コンパレータ４の代わりに、変調器４１から取り出した変調タイミング信号を用いるようにしても、同様な動作を行うことができる。
【００２１】
以上のように、実施の形態５によれば、変調器から入力信号のピーク時のタイミングを表す変調タイミング信号を取り出して、この変調タイミング信号に基づいて固定電圧電源を切り替え、増幅器へ供給する電源電圧を選択するようにしたので、実施の形態１と同様に効率改善を図ることができる。また、制御信号発生器として、カプラ、振幅検出器およびコンパレータを使用しないので構成を簡略化することができる。
【００２２】
実施の形態６．
図１０はこの発明の実施の形態６による送信機の電力増幅装置の基本構成を示すブロック回路図である。図において、図１と同じ構成部分には同一の符号を付し、原則としてその個々の説明は省略する。
電源切り替え動作において、カプラ２、振幅検出器３、コンパレータ４および電源切替スイッチ７の動作時間が存在し、加えて、切り替わった電源電圧がコンデンサ８を経由して増幅器１へ与えられるまでの時間が発生する。一方、入力信号そのものはカプラ２を通過後直接、増幅器１へ入力される。そのため、電源電圧の方が遅延し、入力信号との間に時間差が生じる場合がある。このことは、特にピーク電力増幅時の場合の電力増幅の始めの部分で影響を及ぼす。そこで、この実施の形態６では、カプラ２と増幅器１の間に、入力信号と電源電圧間で起きる時間差分の遅延量を持つ遅延線８１を設けるようにしている。このことにより、入力信号は遅延線８１により遅延されてから増幅器１へ入力するようになり、電源切り替え時における電源電圧との時間差をキャンセルし、正常に電力増幅動作を行わせることができる。
また、実施の形態１の図３、実施の形態２の図４、図５および図６、実施の形態３の図７の各構成において、上記のような遅延線８１を接続した場合にも、同様に、入力信号と電源電圧間で起きる電源切り替え時の時間差をキャンセルし、正常な電力増幅動作を行わせることができる。
【００２３】
以上のように、この実施の形態６によれば、電源切り替え時に増幅器に到達する入力信号と電源電圧間で起きる時間差分の遅延量を持つ遅延線を増幅器の入力側に設け、入力信号が当該遅延線を介して前記増幅器へ入力されるようにしたので、電源切り替え動作時におけるカプラ、振幅検出器、コンパレータ、電源切替スイッチおよびコンデンサ等に依存した電源電圧の供給遅れを入力信号側で調整することができ、正常なタイミングで電力増幅を行うことができる。
【００２４】
実施の形態７．
図１１はこの発明の実施の形態７による送信機の電力増幅装置の基本構成を示すブロック回路図である。図において、実施の形態４の図８と同じ構成部分には同一の符号を付し、原則としてその個々の説明は省略する。
電源切り替え動作において、入力信号の振幅成分を表しているデジタルデータにより電源切替スイッチ７を切り替える動作時間と、切り替わった電源電圧がコンデンサ８を経由して増幅器１へ与えられるまでの時間が発生する。一方、入力信号そのものは、Ｄ／Ａコンバータ４２で変換されて増幅器１へ入力されるまでの時間を要する。そのため、電源電圧の方が遅延し、入力信号と電源電圧との間で経路の違いによる時間差が存在する場合がある。このことは、特にピーク電力増幅時の場合の電力増幅の始めの部分で影響を及ぼす。そこで、この実施の形態７では、Ｄ／Ａコンバータ４２と増幅器１の間に、入力信号と電源電圧間で起きる時間差分の遅延量を持つ遅延線８１を設けるようにしている。このことにより、入力信号は遅延線８１により遅延されてから増幅器１へ入力するようになり、電源切り替え時における電源電圧との時間差をキャンセルし、正常に電力増幅動作を行わせることができる。
また、実施の形態３の図７の構成で、カプラ２、振幅検出器３、コンパレータ４の代わりにデジタルデータを用いるようにした場合においても、Ｄ／Ａコンバータ４２と増幅器１の間に遅延線８１を接続することにより、同様に、入力信号と電源電圧間で起きる電源切り替え時の時間差をキャンセルし、正常な電力増幅動作を行わせることができる。
【００２５】
以上のように、この実施の形態７によれば、電源切り替え動作時に増幅器に到達する入力信号と電源電圧間で起きる時間差分の遅延量を持つ遅延線を増幅器の入力側に設け、入力信号が当該遅延線を介して前記増幅器へ入力されるようにしたので、電源切り替え動作時における電源切替スイッチおよびコンデンサ等に依存した電源電圧の供給遅れを入力信号側で調整することができ、正常なタイミングで電力増幅を行うことができる。
【００２６】
実施の形態８．
図１２はこの発明の実施の形態８による送信機の電力増幅装置の基本構成を示すブロック回路図である。図において、実施の形態５の図９と同じ構成部分には同一の符号を付し、原則としてその個々の説明は省略する。
電源切り替え動作において、入力信号のピークのタイミングを表す変調タイミング信号により電源切替スイッチ７を切り替える動作時間と、切り替わった電源電圧をコンデンサ８を経由して増幅器１へ与えるまでの時間が発生する。一方、入力信号そのものは、Ｄ／Ａコンバータ４２で変換されて増幅器１へ入力されるまでの時間を要する。そのため、電源電圧の方が遅延し、入力信号と電源電圧との間で経路の違いによる時間差が存在する場合がある。このことは、特にピーク電力増幅時の場合の電力増幅の始めの部分で影響を及ぼす。そこで、この実施の形態８では、Ｄ／Ａコンバータ４２と増幅器１の間に、入力信号と電源電圧間で起きる時間差分の遅延量を持つ遅延線８１を設けるようにしている。このことにより、入力信号は遅延線８１により遅延されてから増幅器１へ入力するようになり、電源切り替え時における電源電圧との時間差をキャンセルし、正常に電力増幅動作を行わせることができる。
また、実施の形態３の図７の構成で、カプラ２、振幅検出器３、コンパレータ４の代わりに変調タイミング信号をようにした場合においても、Ｄ／Ａコンバータ４２と増幅器１の間に遅延線８１を接続することにより、同様に、入力信号と電源電圧間で起きる電源切り替え時の時間差をキャンセルし、正常な電力増幅動作を行わせることができる。
【００２７】
以上のように、この実施の形態８によれば、電源切り替え動作時に増幅器に到達する入力信号と電源電圧間で起きる時間差分の遅延量を持つ遅延線を増幅器の入力側に設け、入力信号が当該遅延線を介して前記増幅器へ入力されるようにしたので、電源切替スイッチおよびコンデンサ等に依存した電源電圧の供給遅れを入力信号側で調整することができ、正常なタイミングで電力増幅を行うことができる。
【図面の簡単な説明】
【００２８】
【図１】この発明の実施の形態１による送信機の電力増幅装置の基本構成を示すブロック回路図である。
【図２】この発明の実施の形態１に係る電源電圧の供給動作を説明するタイムチャートである。
【図３】この発明の実施の形態１による送信機の電力増幅装置の他の構成を示すブロック回路図である。
【図４】この発明の実施の形態２による送信機の電力増幅装置の基本構成を示すブロック回路図である。
【図５】この発明の実施の形態２による送信機の電力増幅装置の他の構成を示すブロック回路図である。
【図６】この発明の実施の形態２による送信機の電力増幅装置のさらに他の構成を示すブロック回路図である。
【図７】この発明の実施の形態３による送信機の電力増幅装置の基本構成を示すブロック回路図である。
【図８】この発明の実施の形態４による送信機の電力増幅装置の基本構成を示すブロック回路図である。
【図９】この発明の実施の形態５による送信機の電力増幅装置の他の構成を示すブロック回路図である。
【図１０】この発明の実施の形態６による送信機の電力増幅装置の基本構成を示すブロック回路図である。
【図１１】この発明の実施の形態７による送信機の電力増幅装置の他の構成を示すブロック回路図である。
【図１２】この発明の実施の形態８による送信機の電力増幅装置の基本構成を示すブロック回路図である。
【符号の説明】
【００２９】
１  増幅器、２  カプラ、３  振幅検出器、４  コンパレータ、５，６1，６2，…６n-1，６1，６2，…６n-1，３６  固定電圧電源、７，７１  電源切替スイッチ、８  コンデンサ、９  ダイオード、２０  制御信号発生器、２６，２６1，２６2，…２６n-1  フローティング固定電圧電源、３９  大容量コンデンサ、４１  変調器、４２  Ｄ／Ａコンバータ、８１  遅延線。
【図１】
2006254345.tif 000003
【図２】
2006254345.tif 000004
【図３】
2006254345.tif 000005
【図４】
2006254345.tif 000006
【図５】
2006254345.tif 000007
【図６】
2006254345.tif 000008
【図７】
2006254345.tif 000009
【図８】
2006254345.tif 000010
【図９】
2006254345.tif 000011
【図１０】
2006254345.tif 000012
【図１１】
2006254345.tif 000013
【図１２】
2006254345.tif 000014